(57)【要約】【課題】重ね合わせた旧長尺体及び新長尺体の切断不良を防止でき、作業者の作業性向上を図ることができるようにすること。【解決手段】長尺体切断装置１０は、旧長尺体ＲＳ１及び新長尺体ＲＳ２の重複領域ＷＡでガイド手段１１と挟み込んで新旧長尺体ＲＳ２、ＲＳ１を保持可能な保持手段２１と、この保持手段２１で保持された新旧長尺体ＲＳ２、ＲＳ１を重複領域ＷＡで切断可能な切断刃２２と、保持手段１１に設けられ、新旧長尺体ＲＳ２、ＲＳ１の延出方向に交差する方向に切断刃２２を移動可能な移動手段２３とを備えて構成されている。新旧長尺体ＲＳ２、ＲＳ１は、切断刃２２によって切断される際、保持手段２１によって保持される。【選択図】図１
2014058015.tif 000002
【特許請求の範囲】
【請求項１】
ガイド手段でそれぞれの延出方向を一致させた状態で、それらの一部領域を重ね合わせて重複領域が形成された帯状の旧長尺体及び帯状の新長尺体に対し、前記重複領域で前記新旧長尺体を切断することで、前記旧長尺体に終端縁を形成するとともに、前記新長尺体に先端縁を形成し、これら終端縁と先端縁とを突き合わせ可能な長尺体切断装置において、
前記重複領域で前記ガイド手段と相互に新旧長尺体を挟み込んで当該新旧長尺体を保持可能な保持手段と、
この保持手段で保持された新旧長尺体を前記重複領域で切断可能な切断手段と、
前記保持手段に設けられ、前記延出方向に交差する方向に前記切断手段を移動可能な移動手段とを備えていることを特徴とする長尺体切断装置。
【請求項２】
前記移動手段に設けられ、前記旧長尺体及び新長尺体に前記切断手段を差し込み及び抜き取り可能な抜き差し手段を更に含むことを特徴とする請求項１記載の長尺体切断装置。
【請求項３】
前記抜き差し手段による前記切断手段の差し込み量を調整可能な調整手段を有することを特徴とする請求項２記載の長尺体切断装置。
【請求項４】
前記保持手段は、前記ガイド手段に接近する方向の力を付与可能な付着手段を備えていることを特徴とする請求項１、２又は３記載の長尺体切断装置。
【請求項５】
前記保持手段は、ガイド手段との相対位置を位置決め可能な位置決め手段を備えていることを特徴とする請求項１ないし４の何れかに記載の長尺体切断装置。
【請求項６】
ガイド手段でそれぞれの延出方向を一致させた状態で、それらの一部領域を重ね合わせて重複領域が形成された帯状の旧長尺体及び帯状の新長尺体に対し、前記重複領域で前記新旧長尺体を切断することで、前記旧長尺体に終端縁を形成するとともに、前記新長尺体に先端縁を形成し、これら終端縁と先端縁とを突き合わせ可能な長尺体切断方法において、
前記重複領域で前記ガイド手段と保持手段とにより新旧長尺体を挟み込んで保持する工程と、
前記保持手段で保持された新旧長尺体を前記重複領域で前記延出方向に交差する方向に切断する工程とを備えていることを特徴とする長尺体切断方法。
【請求項７】
帯状の旧長尺体及び帯状の新長尺体それぞれの延出方向を一致させた状態で、それらの一部領域を重ね合わせて重複領域を形成し、当該重複領域で前記新旧長尺体を切断することで、前記旧長尺体に終端縁を形成するとともに、前記新長尺体に先端縁を形成し、これら終端縁と先端縁とを突き合わせ可能な長尺体位置決め装置において、
前記重複領域における前記新旧長尺体の一方の面側に配置可能なガイド手段と、
前記重複領域で前記ガイド手段と相互に新旧長尺体を挟み込んで当該新旧長尺体を保持可能な保持手段と、
この保持手段で保持された新旧長尺体を前記重複領域で切断可能な切断手段と、
前記保持手段に設けられ、前記延出方向に交差する方向に前記切断手段を移動可能な移動手段と、
前記保持手段に対し前記新旧長尺体の延出方向上流側及び下流側に設けられ、前記ガイド手段と相互に新旧長尺体を挟み込んで当該新旧長尺体の移動を規制可能な一対の規制手段とを備えていることを特徴とする長尺体位置決め装置。
【発明の詳細な説明】
【技術分野】
【０００１】
本発明は、長尺体切断装置及び切断方法、並びに、長尺体位置決め装置に係り、更に詳しくは、旧長尺体の終端側と新長尺体の先端側とを接続するために用いられる長尺体切断装置及び切断方法、並びに、長尺体位置決め装置に関する。
【背景技術】
【０００２】
従来より、２本の長尺体を接続するため、旧長尺体の終端側と新長尺体の先端側とを重ねてから切断する方法が知られており、かかる方法としては、例えば、特許文献１に開示されている。特許文献１では、スリットが形成された紙つなぎ台に対し、重ね合わせた旧長尺体及び新長尺体を沿わせた後、スリット内にカッタを通すことで新旧長尺体を切断している。これにより、旧長尺体の終端縁と新長尺体の先端縁とが突き合わされるように形成され、この突き合わせ状態で各端縁に跨って粘着テープを貼り付けることにより、新旧長尺体を接続できるようになっている。
【先行技術文献】
【特許文献】
【０００３】
【特許文献１】特開２００１−２４０２７８号公報
【発明の概要】
【発明が解決しようとする課題】
【０００４】
しかしながら、特許文献１にあっては、カッタによる切断を行う際、カッタが長尺体の側縁に接触して切断を開始する切断開始位置周辺で、長尺体がカッタの付勢によって切断されずに折れ曲り易くなる現象（以下「折れ曲り現象」という）を引き起こす。これにより、長尺体の切断が非常に困難になったり、折れ曲がった状態で切断が行われ、長尺体の切断縁が歪んだりするといった切断不良を発生するという不都合がある。このような不都合は、長尺体における切断開始位置周辺の張力が不足していることが要因と考えられ、カッタの使用回数が多くなり、当該カッタの劣化が進むにつれ顕著化する。かかる不都合を解消するため、切断開始位置近傍を作業者が指で押さえたり摘んだりすることが考えられ、この場合、カッタが作業者の指に触れて指を負傷するおそれがあり安全性に劣るという別異の不都合を招来する。
【０００５】
［発明の目的］
本発明の目的は、重ね合わせた旧長尺体及び新長尺体の切断不良を防止でき、作業者に対する安全性を確保することができる長尺体切断装置及び切断方法、並びに、長尺体位置決め装置を提供することにある。
【課題を解決するための手段】
【０００６】
前記目的を達成するため、本発明は、ガイド手段でそれぞれの延出方向を一致させた状態で、それらの一部領域を重ね合わせて重複領域が形成された帯状の旧長尺体及び帯状の新長尺体に対し、前記重複領域で前記新旧長尺体を切断することで、前記旧長尺体に終端縁を形成するとともに、前記新長尺体に先端縁を形成し、これら終端縁と先端縁とを突き合わせ可能な長尺体切断装置において、
前記重複領域で前記ガイド手段と相互に新旧長尺体を挟み込んで当該新旧長尺体を保持可能な保持手段と、
この保持手段で保持された新旧長尺体を前記重複領域で切断可能な切断手段と、
前記保持手段に設けられ、前記延出方向に交差する方向に前記切断手段を移動可能な移動手段とを備える、という構成を採っている。
【０００７】
本発明において、前記移動手段に設けられ、前記旧長尺体及び新長尺体に前記切断手段を差し込み及び抜き取り可能な抜き差し手段を更に含む、という構成が好ましくは採用される。
【０００８】
また、前記抜き差し手段による前記切断手段の差し込み量を調整可能な調整手段を有するとよい。
【０００９】
更に、前記保持手段は、前記ガイド手段に接近する方向の力を付与可能な付着手段を備えることが好ましい。
【００１０】
また、前記保持手段は、ガイド手段との相対位置を位置決め可能な位置決め手段を備える、という構成も採ってもよい。
【００１１】
更に、本発明は、ガイド手段でそれぞれの延出方向を一致させた状態で、それらの一部領域を重ね合わせて重複領域が形成された帯状の旧長尺体及び帯状の新長尺体に対し、前記重複領域で前記新旧長尺体を切断することで、前記旧長尺体に終端縁を形成するとともに、前記新長尺体に先端縁を形成し、これら終端縁と先端縁とを突き合わせ可能な長尺体切断方法において、
前記重複領域で前記ガイド手段と保持手段とにより新旧長尺体を挟み込んで保持する工程と、
前記保持手段で保持された新旧長尺体を前記重複領域で前記延出方向に交差する方向に切断する工程とを備える、という方法を採っている。
【００１２】
また、本発明の長尺体位置決め装置は、帯状の旧長尺体及び帯状の新長尺体それぞれの延出方向を一致させた状態で、それらの一部領域を重ね合わせて重複領域を形成し、当該重複領域で前記新旧長尺体を切断することで、前記旧長尺体に終端縁を形成するとともに、前記新長尺体に先端縁を形成し、これら終端縁と先端縁とを突き合わせ可能な長尺体位置決め装置において、
前記重複領域における前記新旧長尺体の一方の面側に配置可能なガイド手段と、
前記重複領域で前記ガイド手段と相互に新旧長尺体を挟み込んで当該新旧長尺体を保持可能な保持手段と、
この保持手段で保持された新旧長尺体を前記重複領域で切断可能な切断手段と、
前記保持手段に設けられ、前記延出方向に交差する方向に前記切断手段を移動可能な移動手段と、
前記保持手段に対し前記新旧長尺体の延出方向上流側及び下流側に設けられ、前記ガイド手段と相互に新旧長尺体を挟み込んで当該新旧長尺体の移動を規制可能な一対の規制手段とを備える、という構成を採っている。
【発明の効果】
【００１３】
本発明によれば、保持手段とガイド手段とが相互に新旧長尺体の重複領域を挟み込んで保持するので、新旧長尺体における切断開始位置周辺の張力が不足することを防止し、折れ曲り現象を極力抑制することができる。この結果、折れ曲り現象に起因する新旧長尺体の切断不良を極力防止することができる。しかも、作業者が切断開始位置近傍を指で押さえたり摘んだりすることが物理的に不可能となるので、作業者に対する安全性を確保することができる。
【００１４】
また、抜き差し手段を有する構成とすれば、切断時だけ切断手段を保持手段から突出させることができるので、切断時以外に切断手段が長尺体や作業者に触れて長尺体が損傷したり、作業者が負傷したりすることを確実に回避することが可能となる。
【００１５】
更に、調整手段を有する場合、サイズの異なる種々の切断手段に変更しても、当該切断手段の差し込み量が不足したり、底付きを起こしたりすることを防止することができる。
【００１６】
また、保持手段が付着手段を備えた場合、ガイド手段及び保持手段による新旧長尺体への挟み込み力の付与やその解除を容易且つ迅速に行うことができる。
【００１７】
更に、規制手段を備えたことで、新旧長尺体を切断して保持手段の保持を解除した後、切断により生じた終端縁、先端縁や不要な新旧長尺体部分を持ち上げて新旧長尺体に繋ぎ用テープを貼付する作業を行うときに、旧長尺体の終端縁と新長尺体の先端縁との相対位置がずれることを防止することができる。
【図面の簡単な説明】
【００１８】
【図１】（Ａ）は、実施形態に係る長尺体位置決め装置の側面図、（Ｂ）は、新旧長尺体に接続テープを貼付する要領の説明図。
【図２】図１のＡＡ矢視部分断面図。
【発明を実施するための形態】
【００１９】
以下、本発明の実施の形態について図面を参照しながら説明する。
なお、本実施形態において基準となるものや図を挙げることなく、例えば、上、下、左、右、または、前、後といった方向を示した場合は、全て図１（Ａ）を正規の方向（付した番号が適切な向きとなる方向）から観た場合を基準とし、上、下、左、右方向が紙面に平行な方向であり、前が紙面に直交する手前方向、後が紙面に直交する奥方向とする。
また、本明細書及び特許請求の範囲において、「旧長尺体」及び「新長尺体」は、２本の長尺体を繋ぎ合せるにあたって、相対的に先に繰り出して利用される方を「旧長尺体」とし、旧長尺体に繋ぎ合せて当該旧長尺体の後に繰り出して利用される方を「新長尺体」とする。従って、新長尺体を繰り出して当該新長尺体の終端縁に次の長尺体を繋ぎ合せる場合、新長尺体が旧長尺体となり、次の長尺体が新長尺体となる。
【００２０】
図１及び図２において、長尺体位置決め装置１０は、下方に位置する帯状の旧長尺体ＲＳ１及び上方に位置する帯状の新長尺体ＲＳ２それぞれの延出方向（左右方向）を一致させた状態で、それらの一部領域を重ね合わせて重複領域ＷＡを形成し、当該重複領域ＷＡで新旧長尺体ＲＳ２、ＲＳ１を切断することで、旧長尺体ＲＳ１に終端縁ＲＳ１ｒを形成するとともに、新長尺体ＲＳ２に先端縁ＲＳ２ｆを形成し、これら終端縁ＲＳ１ｒと先端縁ＲＳ２ｆとを突き合わせ可能に設けられている。長尺体位置決め装置１０は、重複領域ＷＡにおける新旧長尺体ＲＳ２、ＲＳ１の一方の面（下面）側に配置可能なガイド手段１１と、ロール状に巻回された旧長尺体ＲＳ１を繰り出し可能に支持する支持軸からなる旧長尺体支持手段１３と、ロール状に巻回された新長尺体ＲＳ２を繰り出し可能に支持する支持軸からなる新長尺体支持手段１４と、ガイド手段１１の上方に配置可能な長尺体切断装置１５と、長尺体切断装置１５に対し新旧長尺体ＲＳ２、ＲＳ１の延出方向上流側（左側）及び下流側（右側）に設けられ、ガイド手段１１と相互に新旧長尺体Ｓ１、ＲＳ２を挟み込んで当該新旧長尺体Ｓ１、ＲＳ２の移動を規制可能な一対の第１及び第２規制手段１７、１８とを備えて構成されている。
【００２１】
前記ガイド手段１１には、その上面に前後方向に延びる溝１１Ａと、４箇所に設けられた位置決め穴１１Ｂとが形成されている。ガイド手段１１は、磁着可能な鉄、電磁石、永久磁石又はそれらを含む素材、又は、それらが部分的に組み込まれた部材からなる。
【００２２】
前記旧長尺体支持手段１３及び新長尺体支持手段１４は、駆動機器としての回動モータＤＭ１によって回転可能なアームＡＭに支持されている。
【００２３】
前記長尺体切断装置１５は、重複領域ＷＡでガイド手段１１と相互に新旧長尺体ＲＳ２、ＲＳ１を挟み込んで当該新旧長尺体ＲＳ２、ＲＳ１を保持可能な保持手段２１と、この保持手段２１で保持された新旧長尺体ＲＳ２、ＲＳ１を重複領域ＷＡで切断可能な切断手段としての切断刃２２と、保持手段２１に設けられ、長尺体ＲＳ１、ＲＳ２の延出方向に交差する方向（前後方向）に切断刃２２を移動可能な移動手段２３と、移動手段２３に設けられ、新旧長尺体ＲＳ２、ＲＳ１に切断刃２２を差し込み及び抜き取り可能な抜き差し手段２５と、この抜き差し手段２５による切断刃２２の差し込み量を調整可能な調整手段２６とを備えている。
【００２４】
前記保持手段２１は、平面視でガイド手段１１の溝１１Ａと略同じ平面形状のスリット２７が形成された正面視略凹形状の押え部材２８と、押え部材２８の下面側に埋設され、ガイド手段１１に対して磁着可能な鉄、電磁石、永久磁石又はそれらを含む素材、又は、それらが部分的に組み込まれた部材からなる付着手段としての磁着手段２９と、押え部材２８の下面から突出し、ガイド手段１１の位置決め穴１１Ｂにそれぞれ嵌め込み可能な位置決め手段としての位置決めピン３２と、押え部材２８の前後両側に設けられた取っ手３３とを備えている。
【００２５】
前記移動手段２３は、押え部材２８上でスリット２７に沿って設けられた一対のレール３７と、各レール３７に沿って移動可能に設けられたスライダ３８とを備えている。なおスライダ３８は、図示しないばねやゴム等の付勢手段や、磁石又はロック機構等によって図２中左側実線で示される位置に付勢又は、一時的に固定されるようになっている。
【００２６】
前記抜き差し手段２５は、各スライダ３８上に支持され、切断刃２２が貫通可能な貫通孔４０Ａが設けられた下部プレート４０と、下部プレート４０上に立設された左右一対の軸部材４１と、当該軸部材４１に摺動可能に支持された上部プレート４２と、各軸部材４１周りに設けられ、上部プレート４２を上方に付勢するコイルばねからなる弾性部材４４と、各軸部材４１の任意の位置で図示しない止めねじ等によって固定可能に設けられ、上部プレート４２の上昇を抑制するストッパ４５と、上部プレート４２の下面に設けられ、切断刃２２を支持するブラケット４６とを備えている。これにより、弾性部材４４の付勢力に抗して上部プレート４２を押し下げると、切断刃２２がスリット２７を通って押え部材２８の下面側から突出する。従って、切断時だけ切断刃２２を押え部材２８から突出可能とし、それ以外のときには切断刃２２が押え部材２８から突出不能とすることが可能となり、切断時以外に切断刃２２が新旧長尺体ＲＳ２、ＲＳ１や作業者に触れて新旧長尺体ＲＳ２、ＲＳ１が損傷したり、作業者が負傷したりすることを確実に回避することが可能となる。
【００２７】
前記調整手段２６は、上部プレート４２に螺合したねじ部４８Ｂ及びその上部に位置する摘み部４８Ａからなるアジャスタ４８と、ねじ部４８Ｂに螺合し、上部プレート４２に押し当てられることでアジャスタ４８の上下動を抑制可能なストッパ４９とを備えている。これにより、上部プレート４２を押し下げたときにアジャスタ４８の下端が下部プレート４０に当接するようになるので、アジャスタ４８を上下動させることで切断刃２２が押え部材２８から突出する量を調整することができる。従って、サイズの異なる（特に上下長さが異なる）種々の切断刃２２に変更しても、新旧長尺体ＲＳ２、ＲＳ１への切断刃２２の差し込み量が不足したり、ガイド手段１１の溝１１Ａの底に接する底付きを起こしたりすることを防止することができる。また、切断刃２２の同じ場所で切断を繰り返すと、切断刃２２の１箇所だけが劣化が進行し、折れ曲り現象が発生し易くなるので、定期的にアジャスタ４８を上下動させて切断刃２２の別の位置で切断するようにするとよい。
【００２８】
前記第１及び第２規制手段１７、１８は、ガイド手段１１の内部に設けられた駆動機器としての直動モータ５１、５２と、この直動モータ５１、５２により上下動可能に設けられた挟持部材５３、５４とを備えている。
【００２９】
次に、前記長尺体位置決め装置１０による新旧長尺体ＲＳ２、ＲＳ１の位置決め方法について説明する。
【００３０】
図１（Ａ）に示されるように、下方に位置する長尺体支持手段１３に支持された旧長尺体ＲＳ１の残量が少なくなったことが図示しない検出手段や作業者の目視により検出されると、旧長尺体ＲＳ１の繰り出しが停止される。次いで、新長尺体支持手段１４から新長尺体ＲＳ２を引き出し、当該新長尺体ＲＳ２をガイド手段１１上に位置する旧長尺体ＲＳ１と挟持部材５３、５４との間を通し、重複領域ＷＡを形成する。次に、第１及び第２規制手段１７、１８が直動モータ５１、５２を駆動し、ガイド手段１１と挟持部材５３、５４とにより新旧長尺体ＲＳ２、ＲＳ１を挟み込む。その後、作業者が図２中２点鎖線で示される任意の位置にある長尺体切断装置１５の取っ手３３を把持し、位置決めピン３２が位置決め穴１１Ｂ内に入り込むように、当該長尺体切断装置１５をガイド手段１１上に載置する。ガイド手段１１上に載置された長尺体切断装置１５は、磁着手段２９の作用により、新旧長尺体ＲＳ２、ＲＳ１を間に挟んだ状態でガイド手段１１と磁着する。これにより、長尺体切断装置１５とガイド手段１１とが位置決めされ、保持手段２１のスリット２７が平面視でガイド手段１１の溝１１Ａと重なった状態となる。
【００３１】
その後、図２に示されるように、作業者が摘み部４８Ａを把持して切断刃２２を押し下げ、その下端を溝１１Ａ内に位置させた状態のまま、レール３７に沿ってスライダ３８を同図中右方向に移動させる。これにより、重複領域ＷＡで新旧長尺体ＲＳ２、ＲＳ１が、その延出方向に交差する方向となる前後方向に切断され、旧長尺体ＲＳ１における切断部の右側に終端縁ＲＳ１ｒが形成されるとともに、切断部の左側に不要旧長尺体部分ＲＳ１Ｄが形成され、新長尺体ＲＳ２における切断部の左側に先端縁ＲＳ２ｆが形成されるとともに、切断部の右側に不要新長尺体部分ＲＳ２Ｄが形成される。このとき、新旧長尺体ＲＳ２、ＲＳ１における切断開始位置（図２中左縁位置）は、押え部材２８とガイド手段１１とで上下から挟み込まれているので、当該切断開始位置周辺の張力が不足することはなく、切断刃２２の付勢による折れ曲り現象が発生することはない。なお、折れ曲り現象を防止するためには、スリット２７及び溝１１Ａの左右方向の幅を切断刃２２の左右方向の幅に極力近付けるとよい。また、ガイド手段１１と長尺体切断装置１５とが接近する方向の力、本実施形態の場合、磁着力を大きくするとよい。この後、摘み部４８Ａを押し下げる力を解除することで、弾性部材４４の弾力により上部プレート４２及び切断刃２２が上昇する。
【００３２】
新旧長尺体ＲＳ２、ＲＳ１の切断後、作業者が取っ手３３を把持し、長尺体切断装置１５をガイド手段１１から取り外す。このとき、磁着手段２９が電磁石である場合、電源供給を停止したり、永久磁石の場合、永久磁石がガイド手段１１から離れる方向に移動させたりしてから長尺体切断装置１５をガイド手段１１から取り外すと簡単に取り外しが行える。長尺体切断装置１５がガイド手段１１から取り外されると、新旧長尺体ＲＳ２、ＲＳ１は、第１及び第２規制手段１７、１８によってその移動が規制される。この状態で、作業者が第１規制手段１７から切断部分までの新長尺体ＲＳ２及び不要旧長尺体部分ＲＳ１Ｄを持ち上げ、図１（Ｂ）に示されるように、新長尺体ＲＳ２の先端縁ＲＳ２ｆからはみ出るように繋ぎ用テープＣＰを下方に貼付する。次いで、作業者が第２規制手段１８から切断部分までの旧長尺体ＲＳ１及び不要新長尺体部分ＲＳ２Ｄを持ち上げ、繋ぎ用テープＣＰが貼付された新長尺体ＲＳ２及び不要旧長尺体部分ＲＳ１Ｄを先にガイド手段１１に載置してから、第２規制手段１８から切断部分までの旧長尺体ＲＳ１及び不要新長尺体部分ＲＳ２Ｄをガイド手段１１に載置する。これにより、新長尺体ＲＳ２の先端縁ＲＳ２ｆと旧長尺体ＲＳ１の終端縁ＲＳ１ｒとが突き合わされた状態で、下面側から繋ぎ用テープＣＰによって繋ぎ合わせられる。その後、作業者が不要新長尺体部分ＲＳ２Ｄを持ち上げ、切断部を跨ぐように新長尺体ＲＳ２の先端縁ＲＳ２ｆ領域と旧長尺体ＲＳ１の終端縁ＲＳ１ｒ領域とに図示しない繋ぎ用テープを上方に貼付する。このように、新旧長尺体ＲＳ２、ＲＳ１は、第１及び第２規制手段１７、１８によってその移動が規制されているため、それらを繋ぎ合せる作業を行っている間に、先端縁ＲＳ２ｆと終端縁ＲＳ１ｒとの相対位置（突き合わせ位置）がずれてしまうようなことはない。そして、第１及び第２規制手段１７、１８が直動モータ５１、５２を駆動し、ガイド手段１１と挟持部材５３、５４とによる新旧長尺体ＲＳ２、ＲＳ１の挟み込みを解除し、作業者が、不要旧長尺体部分ＲＳ１Ｄ（旧長尺体支持手段１３に支持された部分を含む）と、不要新長尺体部分ＲＳ２Ｄとをガイド手段１１上から取り除く。その後、回動モータＤＭ１の駆動により、新長尺体支持手段１４が下方に位置し、当該新長尺体支持手段１４及び新長尺体ＲＳ２が旧長尺体支持手段及び旧長尺体となって順次繰り出されることとなる。また、回動モータＤＭ１の駆動によって上方に位置した旧長尺体支持手段１３は、新長尺体支持手段となり、作業者によって次の長尺体が新長尺体として支持され、以降上記動作が繰り返されることとなる。
【００３３】
従って、このような実施形態によれば、保持手段２１とガイド手段１１とが相互に新旧長尺体ＲＳ２、ＲＳ１の重複領域ＷＡを挟み込んで保持するので、切断開始位置周辺で切断刃２２の付勢による折れ曲り現象が発生することを極力抑制することができる。この結果、折れ曲り現象に起因する新旧長尺体ＲＳ２、ＲＳ１の切断不良を極力防止することができる。しかも、作業者が切断開始位置近傍を指で押さえたり摘んだりすることが物理的に不可能となるので、作業者に対する安全性を確保することができる。
【００３４】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３５】
例えば、付着手段は、磁着手段２９以外に例えば、吸引や接着剤等によって保持手段２１がガイド手段１１に接近する方向に力を付与するようにしてもよい
更に、長尺体切断装置１５を図２の２点鎖線で示されるように、ガイド手段１１に支持されたヒンジ３５を介してガイド手段１１に離間接近可能に設けてもよい。
【００３６】
また、新旧長尺体ＲＳ２、ＲＳ１としては、帯状の接着シートや、帯状の接着シートが仮着された帯状の剥離シート、所定間隔毎に接着シートが仮着された帯状の剥離シート、その他、紙、布、鋼板、ベルト、樹脂、木板などであってもよいし、糸、綱、針金、ケーブル等の線状体であってもよい。
更に、旧長尺体ＲＳ１と新長尺体ＲＳ２とは、材質、形状、構成、組成的に同じものでも異なるものでもよい。
【００３７】
更に、新旧長尺体ＲＳ２、ＲＳ１を切断する方向は、前後方向からずれた方向でもよいし、直線でなく曲線でもよいし、折れ線状であってもよい。
【００３８】
また、前記実施形態における駆動機器は、回動モータ、直動モータ、リニアモータ、単軸ロボット、多関節ロボット等の電動機器、エアシリンダ、油圧シリンダ、ロッドレスシリンダ及びロータリシリンダ等のアクチュエタ等を採用することができる上、それらを直接的又は間接的に組み合せたものを採用することもできる（実施形態で例示したものと重複するものもある）。更に、移動手段２３は、前記駆動機器を用いた構成に代替してもよい。
【符号の説明】
【００３９】
１０  長尺体位置決め装置
１１  ガイド手段
１５  長尺体切断装置
１７  第１規制手段
１８  第２規制手段
２１  保持手段
２２  切断刃（切断手段）
２３  移動手段
２５  抜き差し手段
２９  磁着手段（付着手段）
３２  位置決めピン（位置決め手段）
ＲＳ１  旧長尺体
ＲＳ１ｒ  終端縁
ＲＳ２  新長尺体
ＲＳ２ｆ  先端縁
ＷＡ  重複領域
【図１】
2014058015.tif 000003
【図２】
2014058015.tif 000004